(57)【特許請求の範囲】
【請求項１】
情報データとチェックデータとを備えておりかつスキャナにより情報媒体から読み出されたソースデータストリームを、振動によって変わるデータ速度で第１のメモリに書き込むことにより、及び情報データストリームを通常のデータ速度で第２のメモリから読み出すことにより、更に、通常のデータ速度の前記情報データストリームが得られる前に前記ソースデータストリーム内に含まれる情報データの誤り訂正及び/又はマスキングを処理段で行うことにより、耐振型再生装置におけるデータストリームを制御する方法であって、
前記第１のメモリに書き込まれているソースデータストリームを該第１のメモリの占有状態の関数として第１又は第２のデータ速度で読み出し、
前記第１のメモリから読み出されたバッファリングされたソースデータストリームのデータ速度に、情報データの誤り訂正及び/又はマスキング用のその下流の処理段を切り替え、
前記第１又は第２のデータ速度で情報データのみを含むデータストリームを前記第２のメモリに書き込み、
前記情報媒体から読み出され前記第１のメモリに書き込まれる前記ソースデータストリームを前記第２のメモリの占有状態によって制御し、前記情報データストリームを通常のデータ速度で前記第２のメモリから読み出すことを特徴とするデータストリームの制御方法。
【請求項２】
前記バッファリングされたソースデータストリームを前記第１のメモリから読み出す間の該第１のメモリと該第１のメモリの下流の前記処理段とを、通常のデータ速度と２倍速のデータ速度との間で切り替えることを特徴とする請求項１に記載の方法。
【請求項３】
前記第１のメモリが第１の占有状態の場合は前記２倍速のデータ速度への切り替えを行い、前記第２のメモリが第１の占有状態より小さい第２の占有状態の場合は前記通常のデータ速度に切り替えを行うことを特徴とする請求項２に記載の方法。
【請求項４】
前記ソースデータストリームを前記情報媒体から読み出すデータ速度が前記第２のメモリの占有状態の関数として前記通常のデータ速度と増大されたデータ速度との間で連続的に変化するように調整することを特徴とする請求項１から３のいずれか一つに記載の方法。
【請求項５】
前記増大されたデータ速度の最大値が前記２倍速のデータ速度以下であることを特徴とする請求項４に記載の方法。
【請求項６】
前記増大されたデータ速度の最大値が通常のデータ速度の１．５倍であることを特徴とする請求項４に記載の方法。
【請求項７】
スキャナにより情報媒体から読出され、情報データとチェックデータとを備えたソースデータストリームを、振動によって変わるデータ速度で第１のメモリに書き込む手段と、通常のデータ速度で情報データストリームを第２のメモリから読み出す手段と、ソースデータストリームに含まれる情報データに誤り訂正及び／又はマスキングを行うために前記第１のメモリを前記第２のメモリに接続する処理段とを備えた、耐振型再生装置におけるデータストリームを制御する装置であって、
前記ソースデータストリームを書き込む前記第１のメモリの占有状態を識別し、かつ該第１のメモリの占有状態の関数として第１のデータ速度又は第２のデータ速度で、前記第１のメモリからのバッファリングされたデータストリームの読み出しを制御するための第１の回路手段と、
前記第１のメモリから読出されたバッファリングされたソースデータストリームのデータ速度に基づき、前記第１のデータ速度又は前記第２のデータ速度に応答して前記情報データの誤り訂正及び／又はマスキングを行う下流処理段と、
前記第２のメモリの占有状態を識別し、かつ該第２のメモリの占有状態に応じて、情報媒体から読み出され前記第１のメモリに書き込まれるソースデータストリームのデータ速度を制御する第２の回路手段と
を備えていることを特徴とするデータストリームの制御装置。
【請求項８】
前記第１の回路手段が、通常のデータ速度と倍速のデータ速度とで前記第１のメモリからのバッファリングされたデータストリームの読み出しを制御することを特徴とする請求項７に記載の装置。
【請求項９】
前記第１の回路手段が、前記第１のメモリが第１の占有状態の時は倍速のデータ速度で前記第１のメモリからのバッファリングされたデータストリームの読み出しを制御し、前記第１のメモリが前記第１の占有状態より小さい第２の占有状態時は通常のデータ速度で読み出しを制御することを特徴とする請求項８に記載の装置。
【請求項１０】
前記第２のメモリは、該第２のメモリの占有状態の関数として、通常のデータ速度と増大されたデータ速度との間で連続的に変化するように、ソースデータストリームを情報媒体から読み出すデータ速度を調整することを特徴とする請求項７から９のいずれか１項に記載の装置。
【請求項１１】
前記第２のメモリは、前記増大されたデータ速度の最大値を２倍速のデータ速度以下に調整することを特徴とする請求項１０に記載の装置。
【請求項１２】
前記第２のメモリは、前記増大されたデータ速度の最大値を通常のデータ速度の１．５倍に調整することを特徴とする請求項１０に記載の装置。
【発明の詳細な説明】
本発明は、情報データとチェックデータとを備えておりかつスキャナにより情報媒体から読み出されたソースデータストリームを、振動によって変わるデータ速度で第１のメモリに書き込むことにより、及び情報データストリームを通常のデータ速度で第２のメモリから読み出すことにより、更に、通常のデータ速度の情報データストリームが得られる前に、ソースデータストリーム内に含まれる情報データの誤り訂正及び/又はマスキングを処理段で行う耐振型再生装置におけるデータストリームの制御方法及びその装置に関する。
詳細には光学式又は他の方式による情報媒体の再生装置を移動で使用する場合、耐振特性が必要であり、これによって情報媒体からデータの読み出しを中断させる振動があっても情報を中断なく再生することができる。
耐振動作を行うため、データは通常の速度より速い速度でバッファメモリに書き込まれ通常の速度で読み出されるが、振動により情報媒体からのデータの読み出しに中断が生ずると、ソースデータストリーム内の空きを、振動のない間に予防策として記憶されているバッファメモリ内の蓄積データを読み出して埋める。
可変データ速度でディスク媒体からデータを再生し、再生したデータを一定のデータ速度に変換する方法及び装置が既にＧＢ２２８９１５８（特開平０７−３２６１３４号公報）に記載されている。
この装置は、ディスク媒体から可変データ速度でデータを再生する再生用ヘッドと、再生用ヘッドから再生されたデータを記憶し、一定のデータ速度で記憶したデータを読み出すバッファメモリ手段と、バッファメモリ手段の過負荷を検出する手段と、再生用ヘッドを制御する過負荷検出手段に対応しており、バッファメモリ手段に過負荷が検出された時、ディスク媒体からデータを再生することを繰り返すことに対応しているサーボ手段とを備えている。更にこの方法は、再生用ヘッドによりディスク媒体から一定の可変データ速度で再生されたバッファメモリ内に記憶するステップと、記憶されたデータをバッファメモリから一定のデータ速度で読み出すステップと、バッファメモリの過負荷を検出するステップと、再生用ヘッドを制御しバッファメモリの過負荷が検出された時ディスク媒体からデータの再生を繰り返すステップとを備えている。
商業的に利用可能なこの種の装置において、多くの場合は情報媒体からデータを読み出すことを２倍速で行っている。しかし、振動が無い動作の場合、この方法によるとバッファメモリが常にオーバーフローするので、情報媒体からのデータの読み出しに不自然な中断や後方へのジャンプが生ずる。
この定常的に行われるスキャナの２倍速読出しとジャンプとにより電流消費が増大する。この欠点を取り除くため、可変速度で情報媒体からデータの読み出しを行うことも既に提案されている。ソースデータストリームに対し可変速度で、必須の誤りチェック、並びに誤り訂正及び/又はマスキングが行われないようにするため、前述の提案ではこれら方策に必要な処理段をバッファメモリの下流に配置している。しかし、これを行うためには既存の記憶容量を増やすことが必要で、記憶可能な有効データが減少してしまう。これは要するにチェックデータが有効データに付加されて記憶されるからである。
本発明の目的は、バッファメモリ内の有効データの蓄積を増やし、情報媒体を読み出す間の消費電力及び摩耗を減少させることができる耐振型再生装置におけるデータストリームを制御する方法及び装置を提供することにある。
請求項１に記載された、情報データとチェックデータとを備えておりかつスキャナにより情報媒体から読み出されたソースデータストリームを、振動によって変わるデータ速度で第１のメモリに書き込むことにより、及び情報データストリームを通常のデータ速度で第２のメモリから読み出すことにより、更に、通常のデータ速度の情報データストリームが得られる前に、ソースデータストリーム内に含まれる情報データの誤り訂正及び/又はマスキングを処理段で行うことにより、耐振型再生装置におけるデータストリームを制御する方法、及び請求項７に記載された、スキャナにより情報媒体から読出され、情報データとチェックデータとを備えたソースデータストリームを、振動によって変わるデータ速度で第１のメモリに書き込む手段と、通常のデータ速度で情報データストリームを第２のメモリから読出す手段と、ソースデータストリームに含まれる情報データに誤り訂正及び／又はマスキングを行うために第１のメモリを第２のメモリに接続する処理段とを備えた、耐振型再生装置におけるデータストリームを制御する装置の内容により、
前記目的は請求項１に詳細に記載された、第１のメモリに書き込まれているソースデータストリームを第１のメモリの占有状態の関数として第１又は第２のデータ速度で読み出し、第１のメモリから読み出されたバッファリングされたソースデータストリームのデータ速度に、情報データの誤り訂正及び/又はマスキング用のその下流の処理段を切り替え、第１又は第２のデータ速度で情報データのみを含むデータストリームを第２のメモリに書き込み、情報媒体から読み出され第１のメモリに書き込まれるソースデータストリームを第２のメモリの占有状態によって制御し、情報データストリームを通常のデータ速度で第２のメモリから読み出すことにより、及び請求項７に詳細に記載された、ソースデータストリームを書き込む第１のメモリの占有状態を識別し、かつ第１のメモリの占有状態の関数として第１のデータ速度又は第２のデータ速度で、第１のメモリからのバッファリングされたデータストリームの読み出しを制御するための第１の回路手段と、第１のメモリから読出されたバッファリングされたソースデータストリームのデータ速度に基づき、第１のデータ速度又は第２のデータ速度に応答して情報データの誤り訂正及び／又はマスキングを行う下流処理段と、第２のメモリの占有状態を識別し、かつ第２のメモリの占有状態に応じて、情報媒体から読み出され第１のメモリに書き込まれるソースデータストリームのデータ速度を制御する第２の回路手段とを備えていることにより実施され、本発明の好適な利点は従属請求項からも得られる。
本発明に基づく方法によると、ソースデータストリームが第１のメモリから読み出される速度は第１のデータ速度と第２のデータ速度との間で切り替えられる。可変速度でデータを互いに切り替えることにより、第１のデータ速度と第２のデータ速度との間のあらゆる所望のデータ速度を模擬的に得ることができる。バッファの下流の処理段で可変データ速度を処理しなければならないという問題は、これにより、その処理段が２つの異なるデータ速度間で切り替えができるように設計するのみであるため、かなりの程度解決されることとなる。
更にこの方策は、情報媒体からのソースデータストリームを実際の平均速度と整合させるための前提条件を発生させる。この前提条件はデータを読み出せる期間長とデータを読み出せない期間長とからなる。従って、走査速度によって定まる情報媒体からソースデータが読み出される速度は、通常のデータ速度の２倍の速度に常には維持されることはなく、逆に、例えば振動が生じない場合に減少され得る。これにより、ドライブ装置が低速度で動作することができかつスキャナが不自然に後方ジャンプする必要がないため、かなりの電力が節約される。
本発明によれば、誤り訂正及び/又はマスキング用の処理段が、２つの異なるデータ速度で切り替えられるので、ソースデータストリームに含まれる情報データは、第２のメモリにバッファリング記憶される前に、誤りチェックを受け、誤り訂正及び/又はマスキングされる。チェックデータは誤りチェック、誤り訂正及びマスキングの後には最早必要でないので、データストリームへの蓄積は情報データのみとなる。これにより記憶空間がかなり節約される、換言すれば、既存の記憶空間でより多くの情報データが記憶可能となり、これによって、振動により情報媒体からデータを読み出すことができない長いタイムスパンを埋めることができる。
ソースデータストリームの読み出しの間の第１のメモリ及び下流の処理段のデータ速度は、通常のデータ速度と倍速のデータ速度の間で好ましくは切り替えられる。
データ速度に関するこの切り替え（選択）は、処理段のクロック周波数を単に２倍にするか又は半分にするかにより行われるので、既存の回路設計で容易に実現することができる利点を有している。データ速度の切り替え（選択）は、更に、通常の読み出し速度のオーダの平均読み出し速度が結果として得られるように、読み出しが中断しこれによって増大された読み出し速度のシーケンスとして、振動がある場合に発生せしめられる、実際に必要な読み出し速度の最大の範囲を完全にカバーする。第１のメモリのこの切り替えは、書き込み及び読み出しポインタが示す第１のメモリのアドレス間に第１の差がある場合は、２倍速にデータ速度が切り替えられ、この第１の差より小さい第２の差の場合は、通常のデータ速度に切り替えられるように行われる。書き込み及び読み出しポインタ間の差を判定する方策により、オーバーフローに対し非常に速い応答が得られ、第１のメモリは比較的小さい記憶容量で管理を行うことができる。第１のメモリのこの比較的小さい記憶容量は、チェックデータの記憶を免除したとすれば、第２のメモリの記憶容量より非常に小さくなる。
ソースデータストリームが情報媒体から読み出されるデータ速度は、第２のメモリの占有率の関数として通常のデータ速度と増大されたデータ速度との間で連続的に変化するように調整される。これにより、データを読み出しできる期間とデータを読み出しできない期間とが平均して一定の割合であると仮定すると、読み出し速度が一定値に維持されるという利点が得られる。言い換えれば、情報媒体は、段階的な調整時には必要な減速及び加速されることなく読み出される。
この場合、増大されたデータ速度の最大値は２倍速のデータ速度以下である。この最大値は、好適には通常のデータ速度の１．５倍である。調整範囲をこのように制限することにより、情報媒体の不必要に大きな加速及び速度を防ぐことができる。この結果、電力消費も制限される。
本発明を図面のブロック図に示す実施例に基づき以下に説明する。この図は、ＣＤ再生装置のデータストリームを制御する回路を含んでいる。
このブロック図の回路は、判定回路２を有する第１のメモリ１と、誤りチェック、訂正及びマスキング回路３と、第２のメモリ４と、第１のメモリ１の占有率を識別する回路５と、第２のメモリ４の占有率を識別する回路６と、ドライブ装置を駆動する制御回路７とを備えている。
スキャナにより情報媒体から読み出されたデジタルデータはデータライン８を通り第１のメモリ１に送られる。情報媒体からデータを読み出しできるか又は振動によってその読出しが中断されるかによって、データライン８上のデータ速度は、通常のデータ速度より大きいか／に等しいか、又はゼロである。通常のデータ速度より大きいデータ速度は、前述の駆動装置が通常の速度より速い時に発生し、データストリーム内の空きが補償される。第１のメモリ１からソースデータストリームを読み出す間に、通常と２倍速との速度の切り替えが、第１のメモリ１におけるデータ占有率が占有率の２つの打切り値内に維持されるように、この占有率の関数として行なわれる。
更に、第１のメモリ１は判定回路２に接続されている。この判定回路２は、ソースデータストリーム内にあるデータブロックが正しい順序で読み出されるようにこのデータブロックのサブコードを試験すると共に、ジャンプが発生した時は、スキャナが正しい位置に再び達しておりかつ後に続くデータブロックを読み出している時のみ、読み出しを続ける。
通常速度及び２倍速間で第１のメモリ１の読み出しを切り替えることにより、誤りチェック、誤り訂正及びマスキングを行う下流の回路３も切り替えられる。従って、データ速度が通常速度と２倍速との間で切り替わるデータストリームはデータライン９及び１０上を流れる。しかし、データライン９上のデータストリームはバッファリングされたソースデータストリームであり、このバッファリングされたソースデータストリームには情報データとチェックデータとが含まれている。データライン１０上のデータストリームは誤り訂正された情報データストリームであり、この訂正された情報データストリームは最早いかなるチェックデータも含んでいない。従って、データライン１０上のデータのブロック長はデータライン９上のデータの対応するブロック長より短い。それ故、データライン１０の後段にある第２のメモリ４では、情報データ及びチェックデータを記憶するのに必要とされる容量より小さい容量の記憶場所が設けられる。逆に、第２のメモリ４が所定容量を有する場合は、より多くの情報データを記憶することができ、スキャナから発生するデータストリームが振動により中断されている間の長いタイムスパンを埋めることができる。
占有率を識別する回路６は、情報データストリームが２倍速のデータ速度で書き込まれ、読み出しの間は情報データストリームが通常のデータ速度で読み出されるように第２のメモリ４への書き込み動作を制御する。占有率が変わると、駆動装置は、第２のメモリ４の占有率を調節するべく読み出し速度を増加又は減少してこれが一定となるように、制御回路７によりその駆動速度が変えられる。
第１のメモリ１の占有率の調整を素早く行うため、占有率の識別回路５が設けられている。この回路５は、書き込みポインタ１２と読み出しポインタ１３とのアドレス間の差を監視している。この差が非常に大きければ、読み出し動作は、信号ライン１５により、回路３の信号処理と同様に２倍速に切り替えられる。これと反対に、この差が非常に小さい時は、通常の速度に切り替えられる。識別回路５は、更に、判定回路２から信号ライン１４を通して、読み出し動作が中断したか、即ち正しいと識別された最後のデータブロックから連続しないデータブロックが読み出されたかの情報を受ける。この場合、第１のメモリ１からデータは読み出されない。
上述の装置は、従来の回路設計を非常に多く有しているが、耐振型再生装置においてデータストリームを制御することを可能とするものである。このように設計した場合、ジッタを補償する目的で常に再生装置内に存在するメモリは、ソースデータストリームに対するバッファメモリの役目をするため並びに通常速度及び２倍速間でデータストリームを制御するために利用される。
【図１】
0004154734.tif 000002